(57)【要約】【課題】皮革製の鼻緒を用いても履き心地が悪くなることを抑制できる履物を提供する。【解決手段】履物は、足を載せる本体部と本体部に設けられた鼻緒１３とを有し、鼻緒１３が皮革によって構成されている。鼻緒１３における足の指同士によって挟まれる部分である前緒１７は、皮革製のカバー１８によって覆われている。前緒１７とカバー１８との間における後部側の位置には、クッション材１９が配置されている。【選択図】図４
0003223802.tif 000002
【実用新案登録請求の範囲】
【請求項１】
足を載せる本体部と前記本体部に設けられた鼻緒とを有し、少なくとも前記鼻緒が皮革によって構成された履物であって、
前記鼻緒における前記足の指同士によって挟まれる部分である前緒は、皮革製のカバーによって覆われ、
前記前緒と前記カバーとの間における少なくとも後部側の位置には、クッション材が配置されていることを特徴とする履物。
【請求項２】
前記カバーは、前記前緒に縫い付けられていることを特徴とする請求項１に記載の履物。
【請求項３】
前記クッション材は、前記前緒に接合されていることを特徴とする請求項１または請求項２に記載の履物。
【考案の詳細な説明】
【技術分野】
【０００１】
本考案は、鼻緒を有した履物に関する。
【背景技術】
【０００２】
一般に、鼻緒を有したサンダルなどの履物は、足の指同士で鼻緒を挟んだ状態で使用される。こうした履物の中には、意匠性を向上するべく鼻緒を皮革製にしたものがある。
【考案の概要】
【考案が解決しようとする課題】
【０００３】
しかしながら、上述のような鼻緒を皮革製にした履物では、皮革が比較的硬い材質であるため、使用時において、鼻緒が特に足の指同士の間の股部分に食い込み易い。このため、こうした履物を履いていると足の指同士の間の股部分に痛みを感じ易くなるので、履物の履き心地が悪くなってしまうという問題がある。
【０００４】
本考案の目的は、皮革製の鼻緒を用いても履き心地が悪くなることを抑制できる履物を提供することにある。
【課題を解決するための手段】
【０００５】
以下、上記課題を解決するための手段及びその作用効果について記載する。
上記課題を解決するための履物は、足を載せる本体部と前記本体部に設けられた鼻緒とを有し、少なくとも前記鼻緒が皮革によって構成された履物であって、前記鼻緒における前記足の指同士によって挟まれる部分である前緒は、皮革製のカバーによって覆われ、前記前緒と前記カバーとの間における少なくとも後部側の位置には、クッション材が配置されていることを要旨とする。
【０００６】
この構成によれば、足の指同士の間の股部分と前緒との間にカバー及びクッション材が介在するので、足の指同士の間の股部分に痛みを感じ難くなる。このため、皮革製の鼻緒を用いても履き心地が悪くなることを抑制できる。
【０００７】
上記履物において、前記カバーは、前記前緒に縫い付けられていることが好ましい。
この構成によれば、カバーを前緒に対して確実に固定することができる。
上記履物において、前記クッション材は、前記前緒に接合されていることが好ましい。
【０００８】
この構成によれば、クッション材を前緒に接合した状態で、前緒をクッション材と共にカバーによって覆うことができるので、製造時の作業性の向上に寄与できる。
【考案の効果】
【０００９】
本考案によれば、皮革製の鼻緒を用いても履き心地が悪くなることを抑制できる。
【図面の簡単な説明】
【００１０】
【図１】一実施形態の履物を示す斜視図。
【図２】図１の履物を前側から見たときの斜視図。
【図３】カバーの展開図。
【図４】履物の前緒を覆うときのカバーの状態を示す斜視図。
【図５】変更例の履物の要部を示す斜視図。
【考案を実施するための形態】
【００１１】
以下、履物の一実施形態について図面に従って説明する。
図１及び図２に示すように、履物１１は、例えばサンダルによって構成され、板状の本体部１２と、本体部１２上に設けられた鼻緒１３とを有している。本体部１２は、地面と接触する下層１４と、下層１４上に積層されて足が載せられる上層１５とを備えている。下層１４と上層１５とは、例えば接着剤などによって貼り合わせられている。
【００１２】
下層１４は例えば発泡樹脂などの弾力性を有する材料によって構成され、上層１５は例えば皮革によって構成される。なお、本実施形態の本体部１２は、下層１４及び上層１５による二層構造になっているが、一層で構成されていてもよいし、三層以上で構成されていてもよい。
【００１３】
鼻緒１３は、一対の帯状をなす皮革によって構成され、例えば接着剤などによって上層１５に固定されている。鼻緒１３は、一対の横緒１６と、一対の横緒１６の前端部同士を面接触するように重ねた状態で縫い合わされてなる前緒１７とを備えている。前緒１７は、鼻緒１３における足の指同士によって挟まれる部分、すなわち鼻緒１３における例えば足の親指と足の人差し指とによって挟まれる部分である。
【００１４】
前緒１７は、略筒状に形成された皮革製のカバー１８によって囲われるように覆われている。カバー１８は、前緒１７を囲うように覆った状態で前緒１７に縫い付けられている。カバー１８の上端面は、前端側よりも後端側の方が高くなるように水平面に対して傾斜している。前緒１７とカバー１８との間における後部側の位置には、クッション材１９が配置されている。
【００１５】
この場合、図３に示すように、カバー１８には、カバー１８を平板状に展開した状態で筒状にしたときに内側になる面の中央部に、板状にしたクッション材１９が例えば接着剤や粘着テープなどによって貼り付けられている。そして、図４に示すように、前緒１７の後部側にクッション材１９を当接させた状態でカバー１８によって前緒１７が囲われるようにカバー１８を折り曲げた後、カバー１８を前緒１７に縫い付けることによってカバー１８が前緒１７に固定される。
【００１６】
この場合、カバー１８に貼り付けるクッション材１９の幅Ｌは、前緒１７（鼻緒１３）を構成する一対の皮革（二枚分の皮革）の厚さとほぼ同じになるように設定することが好ましい。なお、クッション材１９は、弾力性に富んだ軟質のゴムやエラストマー、あるいはフォーム材などによって構成される。
【００１７】
次に、履物１１の作用について説明する。
履物１１を履いたときには、鼻緒１３における前緒１７が足の指同士によって挟まれる。このとき、足の指同士の間の股部分と前緒１７との間にカバー１８及びクッション材１９が介在するので、履物１１を履いて歩いても足の指同士の間の股部分に痛みを感じ難くなる。このため、皮革製の鼻緒１３を用いた履物１１であっても、履き心地が悪くなることが抑制される。
【００１８】
因みに、クッション材１９が無い状態の履物１１を履いて歩いた場合、前緒１７もカバー１８も比較的硬い皮革によって構成されているため、足の指同士の間の股部分に痛みを感じ易くなる。このため、履物１１の履き心地が悪くなってしまう。
【００１９】
以上詳述した実施形態によれば、次のような効果が発揮される。
（１）履物１１において、鼻緒１３における足の指同士によって挟まれる部分である前緒１７は、皮革製のカバー１８によって覆われ、前緒１７とカバー１８との間における後部側の位置には、クッション材１９が配置されている。この構成によれば、足の指同士の間の股部分と前緒１７との間にカバー１８及びクッション材１９が介在するので、足の指同士の間の股部分に痛みを感じ難くなる。このため、皮革製の鼻緒１３を用いた履物１１の履き心地が悪くなることを抑制できる。
【００２０】
（２）履物１１において、カバー１８は、前緒１７に縫い付けられている。この構成によれば、カバー１８を前緒１７に対して確実に固定することができる。
（３）履物１１において、上層１５、鼻緒１３、及びカバー１８は、いずれも皮革製である。このため、履物１１の高級感及び意匠性を高めることができる。
【００２１】
（変更例）
上記実施形態は、以下のように変更して実施することができる。また、上記実施形態及び以下の変更例は、技術的に矛盾しない範囲で互いに組み合わせて実施することができる。
【００２２】
・図５に示すように、履物１１において、クッション材１９は、前緒１７に接合されていてもよい。この場合、クッション材１９は、例えば接着剤や粘着テープによって前緒１７に貼り付けられる。このようにすれば、カバー１８でクッション材１９ごと前緒１７を囲うように覆った状態でカバー１８を前緒１７に縫い付けることができるので、カバー１８の組み付け作業が容易になる。すなわち、クッション材１９を前緒１７に接合した状態で、前緒１７をクッション材１９と共にカバー１８によって容易に覆うことができる。したがって、履物１１の製造時の作業性の向上に寄与できる。
【００２３】
・前緒１７とカバー１８との間の全体にクッション材１９を配置するようにしてもよい。
・上層１５は、必ずしも皮革によって構成する必要はない。
【００２４】
・カバー１８は、必ずしも前緒１７に縫い付ける必要はない。すなわち、カバー１８は、前緒１７に対して接着剤や粘着テープなどによって貼り付けるようにしてもよい。
【符号の説明】
【００２５】
１１…履物、１２…本体部、１３…鼻緒、１７…前緒、１８…カバー、１９…クッション材。
【図１】
0003223802.tif 000003
【図２】
0003223802.tif 000004
【図３】
0003223802.tif 000005
【図４】
0003223802.tif 000006
【図５】
0003223802.tif 000007